(57)【要約】【課題】足指を良好に接地して姿勢良く歩けるように補助する靴下を提供する。【解決手段】  靴下１について、人の各足指の付け根裏側にある関節線６から指球中心７までの間若しくは前記間接線６の位置に、足側へ凸となって足裏を刺激する四指用凸状刺激部３１および小指用凸状刺激部３３を備え、前記四指用凸状刺激部３１および小指用凸状刺激部３３は、親指、人差し指、中指、薬指、および小指の全ての前記関節線６と指球中心７の間を刺激する構成である。【選択図】図３
2018178323.tif 000002
【特許請求の範囲】
【請求項１】
人の各足指の付け根裏側にある関節線から指球の中心位置までの間若しくは前記間接線の位置に、足側へ凸となって足裏を刺激する凸状刺激部を備えた
靴下。
【請求項２】
前記凸状刺激部は、
親指、人差し指、中指、薬指、および小指の全ての前記関節線と指球中心の間を刺激する構成である
請求項１記載の靴下。
【請求項３】
前記凸状刺激部は、第一列部と第二列部の２段構成に形成され、
前記第一列部は、
前記親指、前記人差し指、前記中指、および前記薬指に対応する部位として、全てを繋ぐように直線または湾曲による一連のライン状に形成され、
前記第二列部は、
前記小指に対応する部位として、前記直線状または前記湾曲状に形成された前記ライン状よりも前記指球の一部である小指球側に形成された
請求項２記載の靴下。
【請求項４】
前記指球のうち母指球の中心と小指球の中心を結ぶラインよりも少なくとも土踏まず側の足周囲を締め付ける左右締め付け部を備えた
請求項１、２、または３記載の靴下。
【請求項５】
前記左右締め付け部は、周囲の素材のクッション性と同程度かそれ以下のクッション性に形成された
請求項４記載の靴下。
【請求項６】
土踏まずを含む足周囲を締め付ける土踏まず締め付け部を備えた
請求項１から５のいずれか１つに記載の靴下。
【発明の詳細な説明】
【技術分野】
【０００１】
この発明は、人が足に履く靴下に関する。
【背景技術】
【０００２】
従来、様々な機能性のある靴下が提案されている。  
例えば、スポーツ活動時に使用するための靴下が提案されている（特許文献１参照）。この靴下は、踏み領域にクッションが設けられており、このクッションにより、もともと備わっている足の脂肪クッションが支援されるとされている。
【０００３】
また、足指の付根付近の指裏部分に厚肉部を設けた靴下も提案されている（特許文献２参照）。この靴下は、足指の付け根が肉厚部を介して設置でき、足指によって良好に踏ん張ることができるとされている。  
しかしながら、さらに効果的な靴下が望まれていた。
【先行技術文献】
【特許文献】
【０００４】
【特許文献１】特表２００７−５０６８６９号公報
【特許文献２】特開２０１５−２１２４３９号公報
【発明の概要】
【発明が解決しようとする課題】
【０００５】
この発明は、上述の問題に鑑みて、足指を良好に接地して姿勢良く歩けるように補助する靴下を提供し、利用者の満足度を向上させることを目的とする。
【課題を解決するための手段】
【０００６】
この発明は、人の各足指の付け根裏側にある関節線から指球の中心位置までの間若しくは前記間接線の位置に、足側へ凸となって足裏を刺激する凸状刺激部を備えた靴下であることを特徴とする。
【発明の効果】
【０００７】
この発明により、足指を良好に接地して姿勢良く歩けるように補助する靴下を提供できる。
【図面の簡単な説明】
【０００８】
【図１】靴下の右側面図。
【図２】靴下を平面側から見た一部断面図。
【図３】靴下を底面側からみた底面図。
【図４】靴下の右側面断面図。
【発明を実施するための形態】
【０００９】
本発明の発明者は、現代人に多い浮指の症状を改善するために、鋭意研究を行った。この浮指は、足が接地したときに指が浮いている状態を言い、本来、立った状態で足指、指球、踵の３点で体重を支えるべきところを、指球と踵の２点で支えてしまっている状態を指す。この浮指は、姿勢が悪くなる原因となる等、様々な問題を引き起こす。
【００１０】
発明者は、浮指を防止するために、指裏やその近辺を刺激して指が自然に接地するように考えた。また、その足指を適切に接地させるために、足指を広げた状態にしておくことが望ましいことも発見した。そして、靴下によって浮指を改善するべく、足指の裏若しくは足裏に刺激与える突起部分を設けことや、足がアーチを描くようにするために足の周囲を弾性のある素材で絞るように押圧すること等を考えた。なお、この明細書において、弾性とは、伸縮に必要な力の強さの程度を表しており、弾性が強ければ、伸ばすのに強い力が必要であり、かつ、縮もうとする力を強いことを指す。
【００１１】
ここで、上述した文献１のように足が接地する部分にクッション性を持たせてしまうと、人の特性として、そのクッション部分を接地させるように歩く、言い換えれば、そのクッション部分を地面に強く当てるように着地させることが生じてくる。しかしながら、そのような歩き方は望ましくない。
【００１２】
また、上述した文献２のように、足指の付け根部分に肉厚部を設けると、形状は足指の付け根部分が肉厚部を介して接地するようになるかもしれないが、足指をしっかり地面につけて踏ん張るようになるわけではなかった。つまり、形式的に足指が肉圧部を介して接地しているだけであり、足指がしっかり地面を掴むように機能するわけではない。
【００１３】
このようなことを鋭意研究する過程で理解し、足指の付け根の関節線より肉球側で肉球にまで到達しない位置で足裏に刺激を与えると、人間の条件反射で足指が自然に広がることを理解して、そのような刺激を付与できる靴下を発明した。
【００１４】
また、足指を広げるためには、足の周囲を締め付けてアーチを描かすことが有効であり、このように足の周囲を締め付けつつも、クッション性を与えないことで、不要な癖のある歩き方を抑えることも発明した。
【００１５】
以下、これらの要素をすべて加えたこの発明の一実施形態を図面と共に説明する。
【実施例１】
【００１６】
図１は、人が履いた状態の靴下１の右側面図を示し、図２は踝付近で横断した靴下１の平面図を１８０度回転させた図を示し、図３は、人が履いた状態の靴下１の底面図を９０度左へ倒した状態の図を示し、図４は縦断した靴下１の右側面断面図を示す。
【００１７】
図１に示すように、靴下１は、開口されているリング状の縁部２と、この縁部２から繋がる足首部３と、足首部３の下方背面から底面に繋がる踵部９と、足首部３の正面側と踵部９から繋がる足先部４と、足先部４の先に繋がる足指部５とを有している。
【００１８】
靴下１の全体は、適宜の編み方で編まれた編み物で形成されている。  
靴下１の踵部９と足首部３との間の後方部分には、左右の踝Ｋからアキレス腱のある後方中央にかけて、転倒防止用密着部２０が設けられている。この転倒防止用密着部２０の幅Ｌ１１（図１の上下幅）は、人が履いた状態で１．５ｃｍ〜５ｃｍとなるように形成することができ、２ｃｍ〜４ｃｍとなるように形成することが好ましく、この実施例では好適な２．５ｃｍ程度となるように形成されている。転倒防止用密着部２０から接地面までの高さＬ１２は、接地面から踝Ｋの高さまでより前記幅Ｌ１１の半分程度低い高さとなっている。
【００１９】
図２に示すように、転倒防止用密着部２０は、内踝Ｋ１から後方へ続く内側弱弾性部２１と、そこからさらに後方のアキレス腱付近まで続く内側強弾性部２２と、そこから続くアキレス腱の裏部分のアキレス腱解放部２３と、アキレス腱解放部２３から外踝Ｋ２へ向かって途中まで続く外側強弾性部２４と、そこからさらに外踝Ｋ２に続く外側弱弾性部２５を有している。内側弱弾性部２１から外側弱弾性部２５までの前方には、靴下１全体の素材および編み方と同じ素材で同じ編み方に編まれた通常編み部２９が設けられている。
【００２０】
内側弱弾性部２１（および外側弱弾性部２５）は、周方向の一端が内踝Ｋ１（および外踝Ｋ２）にかかるように形成され、この一端から内側強弾性部２２（および外側強弾性部２４）に接続される他端までの長さＬ５１（および長さＬ５５）が、内踝Ｋ１（および外踝Ｋ２）の中心からアキレス腱の中心までの距離の半分以下に形成されている。この長さＬ５１（および長さＬ５５）は、人が履いた状態で２ｃｍ〜４ｃｍ程度となるように形成することができ、２．５ｃｍ〜３．５ｃｍ程度となるように形成することが好ましく、この実施例では好適な３ｃｍ程度となるように形成されている。この内側弱弾性部２１（および外側弱弾性部２５）は、幅方向（図１の上下方向）に伸びるリブが周方向（図１の左右方向）に並んでいる形状で、かつ、靴下１の全体を構成する通常編み部２９よりも周方向の弾性が少し強い（伸ばすために少し強い力が必要で縮もうとする力も少し強い）編み方又は／及び素材により構成されている。
【００２１】
内側強弾性部２２（および外側強弾性部２４）は、周方向の一端が内側弱弾性部２１（および外側弱弾性部２５）に接続され、この一端からアキレス腱解放部２３に接続される他端までの長さＬ５２（および長さＬ５４）が、内踝Ｋ１（および外踝Ｋ２）の中心からアキレス腱の中心までの距離の四分の一以上に形成され、好ましくは三分の一以上に形成されている。この長さＬ５２（および長さＬ５４）は、人が履いた状態で１．５ｃｍ〜４ｃｍ程度となるように形成することができ、２ｃｍ〜３．５ｃｍ程度となるように形成することが好ましく、この実施例では好適な２．５ｃｍ程度となるように形成されている。この内側強弾性部２２（および外側強弾性部２４）は、この内側弱弾性部２１（および外側弱弾性部２５）は、幅方向（図１の上下方向）に伸びるリブ（内側弱弾性部２１および外側弱弾性部２５よりも凹凸の強いリブ）が周方向（図１の左右方向）に並んでいる形状で、かつ、内側弱弾性部２１（および外側弱弾性部２５）よりもさらに周方向の弾性が強い（伸ばすために強い力が必要で縮もうとする力も強い）編み方又は／及び素材により構成されている。
【００２２】
アキレス腱解放部２３は、内側強弾性部２２と外側強弾性部２４の間に設けられている。このアキレス腱解放部２３は、内側強弾性部２２および外側強弾性部２４よりも弾性が弱く（伸ばすために必要な力が弱くてすみ、縮もうとする力も弱い）形成されている。内側強弾性部２２に接続されるアキレス腱解放部２３の一端から、外側強弾性部２４に接続されるアキレス腱解放部２３の他端までの長さＬ５３は、人が履いた状態で０．５ｃｍ〜３ｃｍ程度となる長さに形成することができ、１．０〜２．５ｃｍ程度となる長さに形成することが好ましく、この実施例では好適な１．５ｃｍ程度に形成されている。
【００２３】
この構成により、転倒防止用密着部２０は、内側弱弾性部２１と外側弱弾性部２５が、その外周に比べて弾性の度合いが強く（伸ばすのに強い力が必要で縮む力も強い）、かつ、アキレス腱の裏に対応するアキレス腱解放部２３や通常編み部２９の弾性の度合いを低く（呼ばすのに必要な力が弱く縮む力も弱い）することができる。これにり、内踝Ｋ１（および外踝Ｋ２）からアキレス腱のある部位までの間に存在する内側弱弾性部２１（および外側弱弾性部２５）を、人の足の表面にできるだけ接触させることができる。
【００２４】
すなわち、一般的な靴下は、踝からアキレス腱までの間で人の足の表面から靴下素材が浮いて接触しないことが多い。これに対して、内踝Ｋ１（および外踝Ｋ２）からアキレス腱のある部位までの間に存在する内側弱弾性部２１と内側強弾性部２２（および外側強弾性部２４と外側弱弾性部２５）を、人の足の表面にできるだけ接触させることで、該当部位を刺激でき、足が内向きに傾いた状態で接地させて転倒や足をぐねるといったことを防止することができる。つまり、一般に、足の内側が持ち上がって足の外側を接地させるように歩いてしまい、足をぐねる、あるいは転倒するといったことが生じやすい。これに対して、内踝Ｋ１（および外踝Ｋ２）からアキレス腱のある部位までの間部分について、体表面から離れている一般の靴下と異なり、この靴下１であれば体表面にできるだけ接触させることができる。特に、外踝Ｋ２の下側やや後方に存在する踵腓靭帯を外側強弾性部２４および外側弱弾性部２５により押さえて刺激することができ、これによって自然に足の小指側を普段より上げる方向へ変化させることができ、ぐねることや転倒をしっかり防止できる。
【００２５】
足先部４は、土踏まず部分８を含めて一定幅で上下左右の一周をぐるりと囲む土踏まず締め付け部３７が設けられている。土踏まず締め付け部３７の幅Ｌ６（図３参照，図３の左右方向）は、人が履いた状態で３ｃｍ〜７ｃｍ程度となるように形成することができ、４ｃｍ〜６ｃｍ程度となるように形成することが好ましく、この実施例では好適な５ｃｍ程度となるように形成されている。
【００２６】
この土踏まず締め付け部３７は、幅方向（図１の左右方向）に伸びるリブが周方向（図１の上下方向および奥行方向）に並んでいる形状で、かつ、靴下１の全体を構成する通常編み部２９（図２参照）よりも周方向の弾性が少し強い（伸ばすために少し強い力が必要で縮もうとする力も少し強い）編み方又は／及び素材により構成されている。
【００２７】
この弾性により、土踏まず締め付け部３７は、骨のある足の甲へ向かって土踏まずを含む足裏を持ち上げるように締め付ける。このような締め付けにより、靴下１の土踏まず締め付け部３７は、履いている人の足先に対して、足の指球中心７から踵部９にかけて前後両端が下がり中央が上がる湾曲したアーチを作るように補助することができる。これにより、下方へ下がる指球中心７のさらに先にある足指部５に対して、下方へ向かって接地するように補助することができる。
【００２８】
また、足先部４は、指球中心７を端部として土踏まず側に一定幅で上下左右の一周をぐるりと囲む左右締め付け部３５が設けられている。左右締め付け部３５の幅Ｌ４（図３参照，図３の左右方向）は、人が履いた状態で０．５ｃｍ〜３ｃｍ程度となるように形成することができ、１ｃｍ〜２ｃｍ程度となるように形成することが好ましく、この実施例では好適な１．５ｃｍ程度となるように形成されている。
【００２９】
この左右締め付け部３５は、上面側（足の甲側）で、親指の中心程度の位置から小指の中心程度の位置までの範囲の左右強締め付け部３５ａと、それ以外の範囲（足裏を含む）の左右弱締め付け部３５ｂにより構成されている。
【００３０】
左右弱締め付け部３５ｂは、幅方向（図１の左右方向）に伸びるリブが周方向（図１の上下方向および奥行方向）に並んでいる形状で、かつ、靴下１の全体を構成する通常編み部２９（図２参照）よりも周方向の弾性が少し強い（伸ばすために少し強い力が必要で縮もうとする力も少し強い）編み方又は／及び素材により構成されている。
【００３１】
左右強締め付け部３５ａは、幅方向（図１の左右方向）に伸びるリブ（左右弱締め付け部３５ｂよりも凹凸の強いリブ）が周方向（図１の上下方向および奥行方向）に並んでいる形状で、かつ、左右弱締め付け部３５ｂよりも周方向の弾性がさらに強い（伸ばすためにさらに強い力が必要で縮もうとする力もさらに強い）編み方又は／及び素材により構成されている。
【００３２】
この弾性により、左右締め付け部３５は、足の第一中足骨の足指側と第五中足骨の足指側を下方で内へ寄せるように締め付ける。このような締め付けにより、靴下１の左右締め付け部３５は、履いている人の足先部分に対して、足の左右方向の両端が下がり中央が上がるように湾曲するアーチを作るように補助することができる。これにより、第一中足骨の先にある親指および第五中足骨の先にある小指を、左右外側でかつ下方に向かって広げるように補助することができる。
【００３３】
また、この左右締め付け部３５は、その周囲とクッション性があまり変わらないかそれより低いように編み込まれている。これにより、左右締め付け部３５は、靴下１を履く人が指球（特に母指球）を地面に衝突させるように歩くようになることを防止できる。すなわち、指球（特に母指球）のクッション性が高いと、それを履く人が無意識にそのクッション部分を地面に当てるように歩くようになる。そのようになると、浮指が進行するか、浮指でなかった人が浮指になる可能性が出てくる。これに対して、指球部のクッション性を高めない（抑える）ことにより、指球を地面に当てるような歩き方とならずに、適切な接地状態および歩き方を促すことができる。
【００３４】
図３に示すように、靴下１の底部には、親指部５ａ、人差し指部５ｂ、中指部５ｃ、および薬指部５ｄに対応する四指用凸状刺激部３１と、小指部５ｅに対応する小指用凸状刺激部３３により構成される凸状刺激部３０が設けられている。この凸状刺激部３０は、パイルクッション等の適宜のクッション性のある素材により形成されている。これにより、足裏に接触しやすくして刺激を与えやすくすると共に、歩行時等に踏まれても違和感が出にくいようにしている。
【００３５】
親指部５ａ、人差し指部５ｂ、中指部５ｃ、および薬指部５ｄは、いずれも、幅よりも長さの方が長く形成されており、特に、人差し指部５ｂは、基部から先端までの長さが親指部５ａと同じ長さに形成されている。これにより、人によって人差し指の長さがまちまちであり、親指より人差し指が長い人であっても、人差し指にのみ過度に窮屈な状態を避けることができ、各指を自由な状態にできる。
【００３６】
また、親指部５ａ、人差し指部５ｂ、中指部５ｃ、および薬指部５ｄの付け根部分は、いずれもほぼ横並びに構成されているが、小指部５ｅと薬指部５ｄの間である小指部５ｅの付け根部分のみ、土踏まず側へ大きく下げて配置している。これにより、親指をしっかり親指部５ａに通し、かつ、小指をしっかり小指部５ｅに通しつつ、他の指も窮屈ではない状況で人差し指部５ｂ、中指部５ｃ、および薬指部５ｄに通して快適に利用できるように構成されている。
【００３７】
四指用凸状刺激部３１は、親指部５ａの付け根の関節線６ａ（人の親指の付け根にある関節の線）、人差し指部５ｂの付け根の関節線６ｂ（人の人差し指の付け根にある関節の線）、中指部５ｃの付け根の関節線６ｃ（人の中指の付け根にある関節の線）、および薬指部５ｄの付け根の関節線６ｄ（人の薬指の付け根にある関節の線）の位置である関節線位置Ｐ１から、足の指球中心７の位置である指球中心位置Ｐ２（母子球の中心の位置）までの間に設けられている。この実施例では、四指用凸状刺激部３１は、関節線位置Ｐ１と指球中心位置Ｐ２の中心位置よりも関節線位置Ｐ１側に設けられている。詳述すると、四指用凸状刺激部３１は、間接線６ａ，６ｂ，６ｃ，６ｄの位置に設けられるか、もしくは、間接線６ａ，６ｂ，６ｃ，６ｄの位置である関節線位置Ｐ１から四指用凸状刺激部３１の中心位置までの距離Ｌ２が、四指用凸状刺激部３１の中心位置から指球中心位置Ｐ２までの距離Ｌ３より短くなる位置に設けることができ、距離Ｌ３の二分の一以下となる位置に設けることが好ましく、距離Ｌ３の三分の一以下となる位置に設けることがより好ましく、この実施例では好適な距離Ｌ３の四分の一程度の位置に設けられている。
【００３８】
また、四指用凸状刺激部３１の長さは、親指部５ａの中心より外側（図３の上側）、すなわち親指部５ａのほぼ全体をカバーできる位置から、薬指部５ｄの中心より外側（図３の下側）、すなわち薬指部５ｄのほぼ全体をカバーできる位置までの長さに形成されている。
【００３９】
小指用凸状刺激部３３は、小指部５ｅの付け根にある関節線６ｅ（人の小指にある付け根の関節の線）の位置である関節線位置Ｐ３から、足の指球中心７の位置である指球中心位置Ｐ２（母子球の中心の位置）までの間（若しくは小指球の中心までの間）に設けられている。この位置は、小指部５ｅの付け根部分よりも土踏まず側であり、小指部５ｅの付け根部分よりも指先側にある四指用凸状刺激部３１とは明確に異なる位置となっている。この小指用凸状刺激部３３は、間接線６ｅの位置に設けられるか、もしくは、間接線６ｅの位置である関節線位置Ｐ３から、指球中心位置Ｐ２までの間に設けられることが好ましい。
【００４０】
四指用凸状刺激部３１の足裏縦方向（図３の左右方向）の位置から小指用凸状刺激部３３の足裏縦方向の位置までの距離Ｌ９は、０．５ｃｍ〜１．５ｃｍとすることができ、この実施例では好適な１ｃｍ程度に形成されている。
【００４１】
四指用凸状刺激部３１および小指用凸状刺激部３３の幅（図３の左右方向）は、人が履いた状態で０．１ｃｍ〜１．５ｃｍとなる幅にすることができ、０．２ｃｍ〜１．０ｃｍとなる幅にすることが好ましく、この実施例では好適な０．８ｃｍ程度に形成されている。
【００４２】
四指用凸状刺激部３１および小指用凸状刺激部３３の厚さは、図４の断面図に示すように、周囲の厚さ（通常編み部２９の厚さ）よりも厚くして内側（足側）に凸となるように構成されており、０．１ｃｍ〜０．５ｃｍとすることが好ましく、この実施例では好適な０．３ｃｍ程度に形成されている。
【００４３】
この構成により、凸状刺激部３０は、関節線６（６ａ，６ｂ，６ｃ，６ｄ，６ｅ）のある足指の付け根から肉球の間で足裏を刺激する。このため、この靴下１を履いた人は、身体の条件反射によって自然と足指部５が曲がり、足指部５が地面に接地するようになる。特に、凸状刺激部３０は、指球中心７から足指部５側へ外れているため、接地面と足の間で体重がかかる部分には存在せず、履いている人にとって違和感のない良好な履き心地を提供するとともに、凸状刺激部３０をクッションのようにして凸状刺激部３０を地面に当てるように歩くようになることを防止できる。
【００４４】
また、凸状刺激部３０は、四指用凸状刺激部３１と小指用凸状刺激部３３で異なる位置に設けられているため、四指用凸状刺激部３１により親指部５ａ、人差し指部５ｂ、中指部５ｃ、および薬指部５ｄをしっかりと曲げさせ、小指用凸状刺激部３３により小指部５ｅをしっかりと曲げさせることができる。もし仮に小指用凸状刺激部３３が足裏の縦方向における四指用凸状刺激部３１と同じ位置にあれば、小指部５ｅの裏に接触してしまい、十分な機能を発揮できない。これに対して、靴下１は、小指部５ｅに対応する小指用凸状刺激部３３の位置のみ異ならせたため、小指部５ｅにも適切な刺激をあたえてしっかりと曲げさせることができ、浮指の防止や改善に役立てることができる。
【００４５】
また、小指用凸状刺激部３３は、薬指部５ｄの対応位置にかかるくらい長く形成されているため、小指部５ｅを確実かつ良好に刺激でき曲げさせることができる。この小指用凸状刺激部３３が薬指部５ｄ対応部分にかかっていたとしても、薬指部５ｄは四指用凸状刺激部３１により曲げられるために問題が無い。
【００４６】
また、上述した左右締め付け部３５により足先に対して左右方向にアーチを作るように補助されるため、これによりしっかりと開いた足指部５を凸状刺激部３０により接地させるように曲げることができ、より効果的に浮指の防止や改善に役立てることができる。
【００４７】
さらに、上述した土踏まず締め付け部３７により足先の前後方向のアーチを作ることで、足指部５の先が自然に接地方向に向くように補助されるため、さらに効果的に浮指の防止や改善に役立てることができる。
【００４８】
なお、靴下１全体を構成する通常編み部２９は、適宜の弾性素材を用いて構成されることが望ましく、弾性が強い編み方又は／及び素材により構成されている部位は、必要な弾性の強さに応じて、より強い弾性力を持つゴム糸を挿入した素材により形成されている。
【００４９】
また、本願発明と実施形態の対応において、
第一列部は、四指用凸状刺激部３１に対応し、
第二列部は、小指用凸状刺激部３３に対応するが、この発明は本実施形態に限られず他の様々な実施形態とすることができる。
【００５０】
例えば、この実施形態では四指用凸状刺激部３１と小指用凸状刺激部３３を離間させて別々に備えた二段構成としたが、手縫い等で湾曲させて配置して図示された四指用凸状刺激部３１と小指用凸状刺激部３３の間も続けて同じ凸状刺激部を設けてもよい。この場合も、同じように機能を発揮することができる。
【００５１】
また、靴下１を編み物として構成したが、織物として構成してもよい。  
また、靴下１は、一般的な長さの靴下（ショートソックス）としたが、これに限らず、足の甲が見えるカバーソックス、スニーカー丈の足袋ソックス、脛部分まで長いハイソックス、膝上まであるニーハイソックス、及びタイツなど、様々な靴下に利用することができる。この場合、カバーソックスであれば、少なくとも凸状刺激部３０を備える構成とすることができ、足袋ソックスであれば、少なくとも凸状刺激部３０と左右締め付け部３５と土踏まず締め付け部３７を備える構成とすれば良い。この場合も備えた機能部の機能を発揮させることができる。
【産業上の利用可能性】
【００５２】
この発明は、靴下を製造販売する産業、および靴下を利用して健康を増進する産業に利用することができる。
【符号の説明】
【００５３】
１…靴下
６，６ａ，６ｂ，６ｃ，６ｄ，６ｅ…関節線
７…指球中心
３１…四指用凸状刺激部
３３…小指用凸状刺激部
３５…左右締め付け部
３７…土踏まず締め付け部
【図１】
2018178323.tif 000003
【図２】
2018178323.tif 000004
【図３】
2018178323.tif 000005
【図４】
2018178323.tif 000006
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
人の各足指の付け根裏側にある関節線から指球の中心位置までの間に、足側へ凸となって足裏を刺激する凸状刺激部を備え、
前記凸状刺激部は、
前記関節線より前記足指側には存在せず、親指、人差し指、中指、薬指、および小指の全ての前記関節線と指球中心の間を刺激する構成であり、
前記親指、前記人差し指、前記中指、および前記薬指に対応して全てを繋ぐように親指部の中心より外側から薬指部の中心より外側まで直線または湾曲による一連のライン状に形成された四指用凸状刺激部と、
前記ほぼ横並びの四指用凸状刺激部よりも土踏まず側へ下げて配置された前記小指に対応する小指用凸状刺激部を有する
靴下。
【請求項２】
前記凸状刺激部は、
前記四指用凸状刺激部と前記小指用凸状刺激部を離間させて別々に備えた
請求項１記載の靴下。
【請求項３】
前記指球のうち母指球の中心と小指球の中心を結ぶラインよりも少なくとも土踏まず側の足周囲を締め付ける左右締め付け部を備え、
前記左右締め付け部は、足の甲側で、親指の中心程度の位置から小指の中心程度の位置までの範囲の左右強締め付け部と、それ以外の範囲の左右弱締め付け部により構成され、
前記左右弱締め付け部は、靴下全体を構成する通常編み部よりも周方向の弾性が強く形成され、
前記左右強締め付け部は、前記左右弱締め付け部よりも周方向の弾性がさらに強く形成された
請求項１または２記載の靴下。
【請求項４】
前記親指部と前記人差し指部の間の指股部は、当該親指部の付け根の関節線と当該人差し指部の付け根の関節線よりも深い位置まであり、
前記人差し指部と前記中指部の間の指股部は、当該人差し指部の付け根の関節線の当該指股部側の位置と当該中指部の付け根の関節線の当該指股部側の位置よりも深い位置であり、
前記中指部と前記薬指部の間の指股部は、当該中指部の付け根の関節線における当該指股部側の位置と当該薬指部の付け根の関節線の当該指股部側の位置よりも深い位置であり、
前記薬指部と前記小指部の間の指股部は、当該中指部の付け根の関節線の当該指股部側の位置と当該薬指部の付け根の関節線の当該指股部側の位置よりも深い位置である
請求項１、２、または３に記載の靴下。
【手続補正２】
【補正対象書類名】明細書
【補正対象項目名】０００６
【補正方法】変更
【補正の内容】
【０００６】
この発明は、人の各足指の付け根裏側にある関節線から指球の中心位置までの間に、足側へ凸となって足裏を刺激する凸状刺激部を備え、前記凸状刺激部は、前記関節線より前記足指側には存在せず、親指、人差し指、中指、薬指、および小指の全ての前記関節線と指球中心の間を刺激する構成であり、前記親指、前記人差し指、前記中指、および前記薬指に対応して全てを繋ぐように親指部の中心より外側から薬指部の中心より外側まで直線または湾曲による一連のライン状に形成された四指用凸状刺激部と、前記ほぼ横並びの四指用凸状刺激部よりも土踏まず側へ下げて配置された前記小指に対応する小指用凸状刺激部を有する靴下であることを特徴とする。